(57)【要約】【課題】被保持物を保持し、対象物に取り付ける取付シート等であって、対象物から脱落しにくい取付シート等を提供する。【解決手段】被保持物を保持し、対象物に取り付ける取付シートである。取付シートは、一面に接着部を有する接着シートと、該接着シートの他面に前記被保持物を保持するための複数の保持部とを備える。複数の保持部によって被保持物の複数箇所を保持するので、保持部が単数である場合に比べて、保持部一つ当たりの寸法を小さくすることができる。【選択図】図３
2018199324.tif 000002
【特許請求の範囲】
【請求項１】
被保持物を保持し、対象物に取り付ける取付シートであって、
一面に接着部を有する接着シートと、
該接着シートの他面に前記被保持物を保持するための複数の保持部と
を備える取付シート。
【請求項２】
前記複数の保持部は、前記取付シートを縦置きにした場合に、上下方向且つ上下方向に交差する方向に互いに離間する二つの保持部を含む
請求項１に記載の取付シート。
【請求項３】
前記被保持物の前記保持部に保持される部分を少なくとも覆うカバー
を備える請求項１又は２に記載の取付シート。
【請求項４】
前記保持部は、前記接着シートに形成されたスリットを含む
請求項１から３のいずれか一つに記載の取付シート。
【請求項５】
四角形の被保持物を保持し、対象物に取り付ける取付シートであって、
一面に接着部を有し、他面に不織布を有する接着シートと、
該接着シートに形成されており、前記被保持物の対角部分を保持するための複数のスリットと
を備える取付シート。
【請求項６】
前記接着シートに、所定の形状をかたどった第二スリットが形成されており、
前記第二スリットによってかたどられた部分は分離可能である
請求項１から５のいずれか一つに記載の取付シート。
【請求項７】
前記接着シートに図柄が描かれており、
前記図柄の周囲に第二スリットが形成されており、
前記接着シートにおける前記図柄が描かれた部分は分離可能である
請求項１から５のいずれか一つに記載の取付シート。
【請求項８】
書留板と、
該書留板に取り付けられており、ペン型部材を保持する保持片と、
一面に接着部を有する接着シートと、
該接着シートの他面に前記書留板を保持するための複数の保持部と
を備える書留装置。
【発明の詳細な説明】
【技術分野】
【０００１】
本技術は、被保持物（例えば写真、書留板）を保持し、対象物（例えば壁）に取り付けることができる取付シート及び書留装置に関する。
【背景技術】
【０００２】
従来、シート体の中央部に写真透視窓、即ち開口を形成した軟質フォトフレームが提案されている。シート体の背面は粘着性を有する。開口の背面側に写真を配置し、写真をシート体と対象面（例えば壁面）との間に挟む。写真の縁部分が開口の縁部分に接着し、写真はシート体に保持される。シート体の背面は対象面に接着し、写真は対象面に取り付けられる。写真は開口を通して視認される。
【先行技術文献】
【特許文献】
【０００３】
【特許文献１】実用新案登録第３１６１６２７号公報
【発明の概要】
【発明が解決しようとする課題】
【０００４】
しかし、開口は対象面に接着せず、またシート体の背面において、開口の縁部分全周は、写真によって覆われるので、対象面に接着することができない。即ち、シート体の縁部分のみが対象面に接着することができる。そのため、シート体の対象面への接着力が不十分となり、対象面に接着しても、シート体は容易に剥がれるおそれがある。
【０００５】
本開示は斯かる事情に鑑みてなされたものであり、その目的とするところは、対象物から脱落しにくい取付シート及び書留装置を提供することにある。
【課題を解決するための手段】
【０００６】
本開示に係る取付シートは、被保持物を保持し、対象物に取り付ける取付シートであって、一面に接着部を有する接着シートと、該接着シートの他面に前記被保持物を保持するための複数の保持部とを備える。
【０００７】
本開示に係る取付シートは、前記複数の保持部は、前記取付シートを縦置きにした場合に、上下方向且つ上下方向に交差する方向に互いに離間する二つの保持部を含む。
【０００８】
本開示に係る取付シートは、前記被保持物の前記保持部に保持される部分を少なくとも覆うカバーを備える。
【０００９】
本開示に係る取付シートは、前記保持部は、前記接着シートに形成されたスリットを含む。
【００１０】
本開示に係る取付シートは、四角形の被保持物を保持し、対象物に取り付ける取付シートであって、一面に接着部を有し、他面に不織布を有する接着シートと、該接着シートに形成されており、前記被保持物の対角部分を保持するための複数のスリットとを備える。
【００１１】
本開示に係る取付シートは、前記接着シートに、所定の形状をかたどった第二スリットが形成されており、
前記第二スリットによってかたどられた部分は分離可能である。
【００１２】
本開示に係る取付シートは、前記接着シートに図柄が描かれており、前記図柄の周囲に第二スリットが形成されており、前記接着シートにおける前記図柄が描かれた部分は分離可能である。
【００１３】
本開示に係る書留装置は、書留板と、該書留板に取り付けられており、ペン型部材を保持する保持片と、一面に接着部を有する接着シートと、該接着シートの他面に前記書留板を保持するための複数の保持部とを備える。
【発明の効果】
【００１４】
本開示に係る取付シート及び書留装置にあっては、複数の保持部によって被保持物の複数箇所を保持するので、保持部が単数である場合に比べて、保持部一つ当たりの寸法を小さくすることができる。そのため、保持部が単数である場合に比べて、被保持物を保持した状態で対象物に接着可能な接着部の面積を大きくすることができ、取付シートを対象物から剥がれにくくさせることができる。
【図面の簡単な説明】
【００１５】
【図１】実施の形態１に係る取付シートを略示する正面図である。
【図２】図１に示すＩＩ−ＩＩ線を切断線とした略示断面図である。
【図３】写真を保持した取付シートを略示する正面図である。
【図４】図３に示すＩＶ−ＩＶ線を切断線とした略示断面図である。
【図５】対象物に取り付けられた取付シートを略示する部分断面図である。
【図６】対象物に取り付けられた実施の形態２に係る取付シートを略示する部分拡大断面図である。
【図７】実施の形態３に係る取付シートを略示する正面図である。
【図８】実施の形態４に係る取付シートを略示する正面図である。
【図９】実施の形態５に係る書留装置を略示する正面図である。
【図１０】書留板及び保持片を略示する斜視図である。
【発明を実施するための形態】
【００１６】
（実施の形態１）
以下、実施の形態１に係る取付シートを図面に基づいて説明する。図１は取付シートを略示する正面図、図２は図１に示すＩＩ−ＩＩ線を切断線とした略示断面図である。取付シートは、横長矩形の吸着シート１を備える。なお吸着シート１の形状は横長矩形に限定されず、円形、三角形等、他の形状でもよい。
【００１７】
吸着シート１は横長矩形の不織布２を備える。不織布２の背面全体に吸着層３が形成されている。吸着層３は、例えば吸着性を有するアクリル酸エステル共重合体のエマルジョンに、泡を安定させる添加材及び充填材を配合してなる合成樹脂材料が用いられる。微小気泡が吸着層３の表面に生じ、吸着層３を、対象物４０（例えば壁、図５参照）の面に押付けることによりその表面に露出する複数の微小気泡の夫々が内部空気を排出し、真空吸着作用をなし、この真空吸着作用が吸着層３の接着性を高めている。
【００１８】
吸着シート１には、吸着シート１を貫通した複数（本実施例では四つ）のスリット４が形成されている。四つのスリット４は吸着シート１の角部分にそれぞれ配置されている。換言すれば四つのスリット４は、吸着シート１の対角方向に二つのスリット４が互いに対向するように、配置されている。吸着シート１の短辺に沿う方向が上下方向となるように、吸着シート１を縦置きにした場合、吸着シート１の対角方向に対向する二つのスリット４は、上下方向且つ横方向（上下方向に交差する方向）に互いに離間する。
【００１９】
スリット４は、外向き（吸着シート１の角側）に突出した円弧状をなす。なおスリット４の形状は円弧状に限定されず、吸着シート１の長辺及び短辺に交差する方向に延びた斜線、又は折れ線等他の形状であってもよい。
【００２０】
図３は、写真１０を保持した取付シートを略示する正面図、図４は、図３に示すＩＶ−ＩＶ線を切断線とした略示断面図である。スリット４には、例えば写真１０が挿入される。図３に示すように、四角形の写真１０の場合、四つの写真１０の角部１１が四つのスリット４にそれぞれ挿入される。
【００２１】
図４に示すように、スリット４に挿入された写真１０の角部１１は、吸着シート１の背面側に配置され、スリット４近傍の吸着層３の部分に接触する。以下、角部１１に接触する吸着層３の部分を第１部分３１という。第１部分３１は角部１１に吸着する。スリット４及び第１部分３１によって、角部１１は吸着シート１の背面に固定される。角部１１を除いた写真１０の大半は吸着シート１の正面（不織布２）に配置される。換言すれば、写真１０は吸着シート１の正面に保持される。吸着層３において、第１部分３１以外の部分（以下、第２部分３２という）に写真１０は接触しない。
【００２２】
なお写真１０は、スリット４に挿入される被保持物の一例であり、写真１０に代えて、絵画、ネームプレート等、他の被保持物を挿入することもできる。
【００２３】
図５は、対象物４０に取り付けられた取付シートを略示する部分断面図である。取付シートは対象物４０、例えば壁又は冷蔵庫の扉等に取り付けられる。図５に示すように、写真１０を保持した取付シートの背面を対象物４０、好ましくは対象物４０の平面に接触させることによって、第２部分３２が対象物４０に接触し、吸着する。取付シートは写真１０を保持した状態で対象物４０に取り付けられる。
【００２４】
第２部分３２の面積は、第１部分３１の面積に比べて大きく、吸着層３の大半、例えば９０％以上を占める。そのため、対象物４０への吸着力は大きく、取付シートは対象物４０から剥がれにくい。
【００２５】
実施の形態１に係る取付シートにあっては、複数のスリット４によって写真１０の複数箇所を保持するので、スリット４が単数である場合に比べて、スリット４一つ当たりの寸法を小さくすることができる。そのため、スリット４が単数である場合に比べて、写真１０を保持した状態で対象物４０に吸着可能な吸着層３の面積を大きくすることができ、取付シートを対象物４０から剥がれにくくさせることができる。
【００２６】
また複数のスリット４は、取付シートを縦置きにした場合に、上下方向且つ上下方向に交差する方向に互いに離間する二つのスリット４を含む。そのため、少なくとも四角形の写真１０の対角部分それぞれがスリット４に挿入され、写真１０の保持力が確保される。
【００２７】
また保持部としてスリット４を採用することによって、部材を追加することなく、吸着シート１の一部を加工するだけで保持部を形成することができ、製造工程の簡素化及び製造費用の削減を促進させることができる。なおスリット４に代えて、両面テープ又は面ファスナ等を保持部として取付シートの正面に設けてもよい。
【００２８】
ユーザは、取付シートを対象物４０から剥がし、写真１０を交換して、再度対象物４０に取り付けることができる。接着部として吸着層３を使用することによって、再度対象物４０に取り付ける場合に、吸着力（接着力）の低下を抑制することができる。なお吸着層３は接着部の一例であり、吸着層３に代えて、例えば、接着剤によって構成された接着層を使用してもよい。接着層は、取り外し可能でもよいし、取り外し不可能でもよい。
【００２９】
（実施の形態２）
以下、実施の形態２に係る取付シートを図面に基づいて説明する。実施の形態２にあっては、カバー５以外の構成は実施の形態１と同様な構成である。そのため、実施の形態１と同様な構成については同じ符号を付し、その詳細な説明を省略する。図６は、対象物４０に取り付けられた取付シートを略示する部分拡大断面図である。
【００３０】
写真１０は透明なカバー５に覆われている。カバー５は、例えば封筒状をなし、写真１０を収容する。カバー５に覆われた状態で写真１０の角部１１はスリット４に挿入されている。第１部分３１は、角部１１を覆うカバー５の部分に接触し、吸着する。即ち、第１部分３１は角部１１の正面に直接接触せず、カバー５を介して写真１０は吸着層３に保持されている。
【００３１】
ユーザは取付シートを縦置きにして、対象物４０の凹凸面に取り付けることが考えられるので、取付シートの吸着力は、凹凸面に縦置きに取り付けることができるように、設定される。そのため、取付シートの吸着力は比較的大きくなり、角部１１の正面、即ち画像
が形成されている面を直接第１部分３１に接触させた場合、画像を形成する着色成分が第１部分３１に転写され、角部１１から画像が除去されるおそれがある。
【００３２】
実施の形態２に係る取付シートにあっては、第１部分３１は角部１１の正面に直接接触しないので、角部１１に形成された画像が吸着層３に転写され、画像が除去されることを防止することができる。なお取付シートが写真１０以外の被保持物を保持している場合でも、同様に、被保持物の一部が第１部分３１によって除去されることを防止することができる。
【００３３】
なおカバー５は写真１０全体を覆っているが、スリット４及び第１部分３１に保持される写真１０の部分、即ち角部１１のみにカバー５を設けてもよい。
【００３４】
（実施の形態３）
以下、実施の形態３に係る取付シートを図面に基づいて説明する。実施の形態３の構成の内、実施の形態１又は２と同様な構成については同じ符号を付し、その詳細な説明を省略する。図７は、取付シートを略示する正面図である。
【００３５】
取付シートは二つのスリット４を備える。二つのスリット４は四角形の取付シートの対角方向に離間させて、配置されている。二つのスリット４は、上下方向且つ横方向（上下方向に交差する方向）に互いに離間する。被保持物は二つのスリット４に挿入される。
【００３６】
二つのスリット４は上下方向且つ上下方向に交差する方向へ互いに離間するので、被保持物の保持力が確保される。例えば写真１０の二つの対角部分それぞれをスリット４に挿入することによって、写真１０は取付シートの正面に保持され、容易には外れない。
【００３７】
（実施の形態４）
以下、実施の形態４に係る取付シートを図面に基づいて説明する。実施の形態４の構成の内、実施の形態１〜３と同様な構成については同じ符号を付し、その詳細な説明を省略する。図８は、取付シートを略示する正面図である。
【００３８】
不織布２の中央部分に図柄２１、例えば星又はハートなどが描かれている。図柄２１は、スリット４よりも内側に配置されている。図柄２１の周囲に、吸着シート１を貫通した複数の第二スリット２２が形成されている。複数の第二スリット２２は、図柄２１の外形に沿って形成されており、図柄２１の相似形状をかたどっている。吸着シート１において、複数の第二スリット２２によって囲まれた部分は分離部１ａを構成する。隣接する二つの第二スリット２２、２２の間の部分に、分離部１ａと、吸着シート１の分離部１ａ以外の部分とを連結する仮止め２３が形成されている。
【００３９】
ユーザは、必要に応じて仮止め２３を切断し、分離部１ａを、吸着シートから分離させることができる。例えば、分離させた分離部１ａを対象物４０に取り付けて、対象物４０に装飾を施すことができる。また吸着シート１の分離部１ａ以外の部分を、対象物４０に取り付けた後、前記分離部１ａ以外の部分の周囲に、分離部１ａを取り付けることによって、前記分離部１ａ以外の部分を飾ることができる。
【００４０】
なお複数の第二スリット２２は、図柄２１を囲むように配置されていればよく、必ずしも図柄２１の外形に沿って形成される必要は無い。例えば、図柄２１が星又はハートを示す場合に、星又はハート囲む円形を描くように、複数の第二スリット２２を形成してもよい。また図柄２１の周囲に、単一の第二スリット２２を形成してもよい。また図柄２１を描くことなく、単一又は複数の第二スリット２２のみによって、星又はハートなどを示す形状をかたどってもよい。
【００４１】
（実施の形態５）
以下、実施の形態５に係る書留装置を図面に基づいて説明する。実施の形態５の構成の内、実施の形態１〜４と同様な構成については同じ符号を付し、その詳細な説明を省略する。図９は、書留装置を略示する正面図、図１０は、書留板及び保持片を略示する斜視図である。
【００４２】
書留装置は、横長矩形の吸着シート１と、四角形状の書留板１５とを備える。書留板１５は、例えば白板であり、その一面に文字又は図形などを書き留めることができる。例えば、図９に示すように、「８：００頃帰ります」とのメッセージが書留板１５の一面に書き留められる。書留板１５の一縁部１５ｄに二つの切欠１５ａ、１５ａが設けられている。二つの切欠１５ａ、１５ａは前記一縁部１５ｄに沿って間隔を空けて並んでいる。切欠１５ａは、前記一縁部１５ｄ側を開放させた逆Ｕ状をなす。切欠１５ａの底側縁部は、前記一縁部１５ｄに向けて突出した円弧状をなす。
【００４３】
二つの切欠１５ａそれぞれにおいて、前記一縁部１５ｄに直角な縁部に、ペン１６を保持する保持片１５ｂが設けられている。保持片１５ｂは、書留板１５の一面から外向きに突出する。一縁部１５ｄの反対側において、保持片１５ｂには凹部１５ｃが形成されている。二つの保持片１５ｂの間の寸法は、ペン１６よりも短い。
【００４４】
切欠１５ａ及び保持片１５ｂは、例えば以下のように形成される。一縁部１５ｄにおいて、一縁部１５ｄに直角な第一の切り込みを入れ、該第一の切り込みの端部に連なり、一縁部１５ｄに向けて突出した円弧状の第二の切り込みを入れて、第一の切り込みの反対側部分を支点にし、第一の切り込み及び第二切り込みの内側部分を折り曲げて、前記一面から突出させることによって、保持片１５ｂ及び切欠１５ａが形成される。なお切欠１５ａを設けることなく、保持片１５ｂを設けてもよい。例えば、複数の保持片１５ｂを別途作成し、一縁部１５ｄに沿って、書留板１５の一面に並設してもよい。
【００４５】
スリット４に交差する四つの短い切り込み４ａが吸着シート１に形成されている。四つの切り込み４ａは四つのスリット４にそれぞれ対応する。切り込み４ａはスリット４から吸着シート１の角に向けて延びている。書留板１５をスリット４に挿入する場合、切り込み４ａによって、スリット４が拡張し易くなり、書留板１５を円滑に挿入することができる。
【００４６】
ユーザはペン１６を使用して、書留板１５の一面に文字又は図形などを書き留めることができ、書き留めた後は保持片１５ｂの凹部１５ｃにペン１６を載置させることができる。凹部１５ｃを形成してあるので、載置されたペン１６は保持片１５ｂから容易には外れない。
【００４７】
ペン１６は、ペン型部材の一例であり、鉛筆、シャープペンシルなどの他のペン型部材であってもよい。また書留板１５は、電気的に文字又は図形などを書き留めることができるもの、例えばタッチパネルを有するデジタル白板でもよい。この場合、デジタルペンを使用して、文字又は図形などを書留板１５に書き留める。
【００４８】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００４９】
１  吸着シート
１ａ  分離部
２  不織布
３  吸着層（接着部）
３１  第１部分（保持部）
３２  第２部分
４  スリット（保持部）
５  カバー
１０  写真（被保持物）
１１  角部
１５  書留板
１５ｂ  保持片
２１  図柄
２２  第二スリット
４０  対象物
【図１】
2018199324.tif 000003
【図２】
2018199324.tif 000004
【図３】
2018199324.tif 000005
【図４】
2018199324.tif 000006
【図５】
2018199324.tif 000007
【図６】
2018199324.tif 000008
【図７】
2018199324.tif 000009
【図８】
2018199324.tif 000010
【図９】
2018199324.tif 000011
【図１０】
2018199324.tif 000012